(57)【要約】      （修正有）【課題】新型インフルエンザ蔓延防止の一対策として、大勢の人が働く生産・製造・組立工場や事務所等の出入口で、入出退時に発熱感染者の発見と体温記録、及び入出退時刻記録を迅速で確実に行うことができる皮膚表面温度記録機能付入出退管理装置を提供する。【解決手段】入出退管理装置の前面部分に、サーモグラフィー装置１と、サーモグラフィー装置の温度測定範囲に入出退者の顔面が入るように隣接した位置にＣＣＤカメラ２を配置し、サーモグラフィー装置に隣接して入出退者の非接触ＩＣカードの読み取り可能な位置に非接触ＩＣカードリーダー３を配置してなる。【選択図】図１
0003160292.tif 000002
【実用新案登録請求の範囲】
【請求項１】
サーモグラフィー装置と非接触ＩＣカードリーダーを組み合わせたことを特徴とする皮膚表面温度記録機能付入出退管理装置。
【請求項２】
画像表示装置の一部に、入出退者の顔面皮膚温度を体温として表示できることを特徴とする皮膚表面温度記録機能付入出退管理装置。
【請求項３】
画像表示装置の一部に、入出退者の顔が温度測定範囲内にあることを表示できることを特徴とする皮膚表面温度記録機能付入出退管理装置。
【請求項４】
画像表示装置の一部に、ＩＣカードリーダーで読み取られた入出退者の本人確認表示ができることを特徴とする皮膚表面温度記録機能付入出退管理装置。
【請求項５】
顔写真記録が出来るＣＣＤカメラを備えたことを特徴とする皮膚表面温度記録機能付入出退管理装置。
【考案の詳細な説明】
【技術分野】
【０００１】本考案の内容は、工場・事務所等の入出退者のインフルエンザ蔓延予防対策として、皮膚表面温度を素早く測定・記録すると共に、入出退時刻を記録する装置の構造に関するものである。
【背景技術】
【０００２】近年、新型インフルエンザが発生するようになり、人の大量移動にともない、爆発的な速さで世界的に大流行する事態が発生している。ワクチンによる予防措置も早急な対応が困難な状況となっている。【０００３】人が多く集まる工場・事務所等では、マスクの着用、手洗いの励行、消毒設備の設置等がなされているが、その蔓延対策としては不充分であった。【０００４】大勢の人が働く生産・製造・組立工場や事務所等では、１人の感染者が大勢の作業者や事務員等に感染させる危険性が増大している。そこでこれらの工場や事務所等の出入口で、入出退時に感染者を発見し、蔓延を防ぐ技術や製品が求められている。【０００５】従来は、工場や事務所等での入出退時に、赤外線熱画像装置や非接触皮膚温度計を用いて、個別に入出退者の体温測定行っていた。  これらの方法では短時間に多人数の体温を測定し、その記録の管理に確実性を欠いていた。
【考案の概要】
【考案が解決しようとする課題】
【０００６】入出退者が本人のＩＣカードを、非接触ＩＣカードリーダーに近接させることで、顔面皮膚温度測定を開始し、発熱によるインフルエンザ感染者を識別し、インフルエンザの蔓延を予防すること。【０００７】短時間に多人数の入出退者の顔面皮膚温度を体温として、素早く記録出来ること。【０００８】入出退者の顔面皮膚温度を体温として、長期間記録・保管すること。【０００９】短時間に多人数の入出退者の入出退時刻を、素早く記録出来ること。【００１０】入出退者の平常体温の個人差を考慮した体温を、記録することで健康管理に役立てること。
【課題を解決するための手段】
【００１１】入出退者の個人識別できる機能を持たせる為、本考案の装置に非接触ＩＣカードリーダー３を設けた。【００１２】入出退者の顔面皮膚温度測定を行う為、本考案の装置にサーモグラフィー装置１を設けた。【００１３】サーモグラフィー装置１の温度測定範囲に顔を素早く配置出来る様に、本考案の装置にＣＣＤカメラ２を設け、画像表示装置４のＣＣＤカメラ画像表示部分４１に表示するようにした。【００１４】入出退者の個人認識番号、体温データ及び入退時刻記録を記憶する為、ハードディスク記録装置６２をコンピューター６の内部に設けた。【００１５】入出退者の体温を素早く測定表示し、正常者体温と発熱者異常体温を選別表示できるように、画像表示装置４の体温表示・警告表示部分４３に表示するようにした。【００１６】入出退者の平熱個人差を補正する機能を持たせたコンピューター６を設置した。【００１７】短時間にさらに多人数の入出退者を処理出来る様に、本考案の装置を複数台、並列運転出来る様にした。
【考案の効果】
【００１８】インフルエンザ蔓延の防止効果に加え、入出退者の体温測定と記録を短時間で行い、記録を長期間出来るので、日々の健康管理にも役立てることが出来る。【００１９】本考案の装置には、入出退者の体温測定及び入出退者の識別機器類は非接触方式採用しているので、極めて清潔であり、二次感染を防止出来る。【００２０】入出退者の入出退時刻を容易に記録出来るので、勤怠及び給与計算データ管理に利用出来る。【００２１】本考案の装置１台の入出退者処理時間は、約３．６秒／人（３０分で５００人）の速さで高速処理出来る。【００２２】本考案の装置は入出退時刻記録の他、顔写真記録も出来るので、防災・防犯にも役立てることが出来る。
【考案を実施するための形態】
【００２３】本考案の装置を独立自立型とし、ローラー７４付としたので、容易に移動可能で、入出退出入口付近に自由配置できるものとした。
【００２４】更に多くの人数を短時間で入出退させることが必要な場合、本考案の装置を複数台並列接続して、運転出来るものとした。
【００２５】本考案の装置にスピーカーを付加し、警告音や警告音声を出すことが出来るものとした。
【００２６】発熱入出退者がある場合、本考案の装置から入出退管理者に通知出来るものとした。
【実施例】
【００２７】本考案の装置のＬＡＮ通信装置６３からシステム管理用コンピューター６３．１に接続すれば、入出退経歴の確認、体温変化記録を一元管理に出来るものとした。【００２８】通常の入出退者は登録済ＩＣカード３１を保持し、外来者は別に受付でＩＣカード３１の発行を受けることが出来るものとした。【００２９】本考案の装置とドアーの解錠・開閉機能と連動させることも可能なものとした。【００３０】停電時にも本考案の装置が運転出来る様に、無停電電源装置（ＵＰＳ）６８を装置の内部に設けた。
【産業上の利用可能性】
【００３１】データセンター・病院・学校・幼稚園等の施設に幅広く利用出来る。
【図面の簡単な説明】
【００３２】
【図１】本考案の全体図面。
【図２】本考案の前面図面。
【図３】本考案の右側面図面。
【図４】本考案の左側面図面。
【図５】本考案の後面図面。
【図６】本考案の装置の構成ブッロクダイアグラム図面。
【符号の説明】
【００３３】１．  サーモグラフィー装置
２．  ＣＣＤカメラ
３．  非接触ＩＣカードリーダー
３１．登録済ＩＣカード
４．  画像表示装置
４１．ＣＣＤカメラ画像表示部分
４２．サーモグラフィー画像表示部分
４３．体温表示・警告表示画像表示部分
５．  スピーカー
６．  コンピューター
６１．中央演算装置（ＣＰＵ）
６２．ハードディスク記憶装置
６３．ＬＡＮ通信装置
６３．１  システム管理コンピューター
６４．キーボード・マウス
６５．ＲＳ−２３２Ｃ通信ポート
６６．ＵＳＢ通信ポート
６７．電源装置
６８．無停電電源装置（ＰＵＳ）
７．  装置躯体
７１．装置躯体後面下部メンテナンスカバー
７２．装置躯体後面上部メンテナンスカバー
７３．換気ファン
７４．移動用ローラー
【図１】
0003160292.tif 000003
【図２】
0003160292.tif 000004
【図３】
0003160292.tif 000005
【図４】
0003160292.tif 000006
【図５】
0003160292.tif 000007
【図６】
0003160292.tif 000008
【手続補正書】
【提出日】平成22年1月12日(2010.1.12)
【手続補正１】
【補正対象書類名】実用新案登録請求の範囲
【補正対象項目名】全文
【補正方法】変更
【補正の内容】
【実用新案登録請求の範囲】
【請求項１】
入出退者が所持する個人識別用非接触ＩＣカードを読みとる非接触ＩＣカードリーダーと、
前記入出退者の顔面位置を確認するＣＣＤカメラと、
前記入出退者の皮膚表面温度を測定するサーモグラフィー装置と、
前記非接触ＩＣカードリーダー、前記ＣＣＤカメラおよび前記サーモグラフィー装置のそれぞれの出力を各画面に表示する画像表示装置とを備えてなる皮膚表面温度記録機能を有する入出退管理装置であって、
該入出退管理装置の前面部分に、前記サーモグラフィ装置と、前記サーモグラフィー装置の温度測定範囲に前記入出退者の顔面が入るように隣接した位置に前記ＣＣＤカメラを配置し、前記サーモグラフィー装置に隣接して前記入出退者の非接触ＩＣカードの読み取り可能な位置に前記非接触ＩＣカードリーダーを配置してなる
ことを特徴とする皮膚表面温度記録機能付入出退管理装置。
【請求項２】
前記サーモグラフィー装置、前記ＣＣＤカメラ及び非接触ＩＣカードリーダーの各出力を処理するコンピュータが内部に設置されてなる請求項１に記載の皮膚表面温度記録機能付入出退管理装置。
【請求項３】
前記画像表示装置の一区画が前記サーモリーダー装置の前記入退者の顔面皮膚温度の表示装置である請求項１に記載の皮膚表面温度記録付入出退管理装置。
【請求項４】
前記画像表示装置の他の区画が、前記サーモグラフィー装置の温度測定範囲内における前記入出退者の顔面位置の表示装置である請求項１に記載の皮膚表面温度記録入出退管理装置。
【請求項５】
前記画像表示装置のさらに他の区画が、前記非接触カードリーダで読み取られた前記入出退者の本人確認情報の表示装置である請求項１に記載の皮膚表面温度記録入出退管理装置。
【手続補正書】
【提出日】平成22年4月7日(2010.4.7)
【手続補正１】
【補正対象書類名】実用新案登録請求の範囲
【補正対象項目名】全文
【補正方法】変更
【補正の内容】
【実用新案登録請求の範囲】
【請求項１】
入出退者が所持する個人識別用非接触ＩＣカードを読みとる非接触ＩＣカードリーダーと、
前記入出退者の顔面位置を確認するＣＣＤカメラと、
前記入出退者の皮膚表面温度を測定するサーモグラフィー装置と、
前記非接触ＩＣカードリーダー、前記ＣＣＤカメラおよび前記サーモグラフィー装置のそれぞれの出力を各画面に表示する画像表示装置とを備えてなる皮膚表面温度記録機能を有する入出退管理装置であって、
該入出退管理装置の前面部分に、前記サーモグラフィー装置と、前記サーモグラフィー装置の温度測定範囲に前記入出退者の顔面が入るように隣接した位置に前記ＣＣＤカメラを配置し、前記サーモグラフィー装置に隣接して前記入出退者の非接触ＩＣカードの読み取り可能な位置に前記非接触ＩＣカードリーダーを配置してなる
ことを特徴とする皮膚表面温度記録機能付入出退管理装置。
【請求項２】
前記サーモグラフィー装置、前記ＣＣＤカメラ及び非接触ＩＣカードリーダーの各出力を処理するコンピュータが内部に設置されてなる請求項１に記載の皮膚表面温度記録機能付入出退管理装置。
【請求項３】
前記画像表示装置４の表示部分４２が、前記サーモグラフィー装置の前記入出退者の顔面皮膚温度の表示画像である請求項１に記載の皮膚表面温度記録機能付入出退管理装置。
【請求項４】
前記画像表示装置４の表示部分４１が、前記サーモグラフィー装置の温度測定範囲内における前記入出退者の顔面位置の表示画像である請求項１に記載の皮膚表面温度記録機能付入出退管理装置。
【請求項５】
前記画像表示装置４の表示部分４３が、前記非接触カードリーダで読み取られた前記入出退者の正常者体温と発熱者異常体温を選別表示した体温表示画像である請求項１に記載の皮膚表面温度記録機能付入出退管理装置。